【手続補正書】
【提出日】平成18年2月13日(2006.2.13)
【手続補正１】
【補正対象書類名】明細書
【補正対象項目名】発明の名称
【補正方法】変更
【補正の内容】
【発明の名称】データ送信装置
【手続補正２】
【補正対象書類名】明細書
【補正対象項目名】特許請求の範囲
【補正方法】変更
【補正の内容】
【特許請求の範囲】
【請求項１】  コンスタレーションリアレンジメントを用いるデータ送信装置であって、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信部を具備し、
前記第１の１６ＱＡＭコンスタレーションパターンおよび前記第２の１６ＱＡＭコンスタレーションパターンのうちの１つのコンスタレーションパターンは、１シンボルに割り当てられたビットシーケンス（ｉ１ｑ１ｉ２ｑ２）に対して、第１ビットｉ１の位置と第３ビットｉ２の位置とを入れ替え、第２ビットｑ１の位置と第４ビットｑ２の位置とを入れ替えることによって得られる、
ことを特徴とするデータ送信装置。
【請求項２】  コンスタレーションリアレンジメントを用いるデータ送信装置であって、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信部を具備し、
前記第１の１６ＱＡＭコンスタレーションパターンおよび前記第２の１６ＱＡＭコンスタレーションパターンのうちの１つのコンスタレーションパターンは、１シンボルに割り当てられたビットシーケンス（ｉ１ｑ１ｉ２ｑ２）に対して、第３ビットｉ２の位置と第４ビットｑ２の位置に存在するビットをそれぞれ論理的に反転させることによって得られる、
ことを特徴とするデータ送信装置。
【請求項３】  コンスタレーションリアレンジメントを用いるデータ送信装置であって、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信部を具備し、
前記第２の１６ＱＡＭコンスタレーションパターンは、前記第１の１６ＱＡＭコンスタレーションパターンにおいて１シンボルに割り当てられたビットシーケンス（ｉ１ｑ１ｉ２ｑ２）に対して、第１ビットｉ１の位置と第３ビットｉ２の位置とを入れ替え、第２ビットｑ１の位置と第４ビットｑ２の位置とを入れ替えることによって得られる、
ことを特徴とするデータ送信装置。
【請求項４】  コンスタレーションリアレンジメントを用いるデータ送信装置であって、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信部を具備し、
前記第２の１６ＱＡＭコンスタレーションパターンは、前記第１の１６ＱＡＭコンスタレーションパターンにおいて１シンボルに割り当てられたビットシーケンス（ｉ１ｑ１ｉ２ｑ２）に対して、第３ビットｉ２の位置と第４ビットｑ２の位置に存在するビットをそれぞれ論理的に反転させることによって得られる、
ことを特徴とするデータ送信装置。
【請求項５】  複数の１６ＱＡＭコンスタレーションパターンを用いるデータ受信装置であって、
１６ＱＡＭコンスタレーションパターンを用いてシンボルを復調する復調部を具備し、
第１の１６ＱＡＭコンスタレーションパターンおよび第２の１６ＱＡＭコンスタレーションパターンのうちの１つのコンスタレーションパターンは、１シンボルに割り当てられたビットシーケンス（ｉ１ｑ１ｉ２ｑ２）に対して、（i）第１ビットｉ１の位置と第３ビットｉ２の位置とを入れ替え、第２ビットｑ１の位置と第４ビットｑ２の位置とを入れ替えることによって得られ、または、（ii）第３ビットｉ２の位置と第４ビットｑ２の位置に存在するビットをそれぞれ論理的に反転させることによって得られる、
ことを特徴とするデータ受信装置。
【請求項６】  複数の１６ＱＡＭコンスタレーションパターンを用いるデータ受信装置であって、
１６ＱＡＭコンスタレーションパターンを用いてシンボルを復調する復調部を具備し、
第２の１６ＱＡＭコンスタレーションパターンは、第１の１６ＱＡＭコンスタレーションパターンにおいて１シンボルに割り当てられたビットシーケンス（ｉ１ｑ１ｉ２ｑ２）に対して、（i）第１ビットｉ１の位置と第３ビットｉ２の位置とを入れ替え、第２ビットｑ１の位置と第４ビットｑ２の位置とを入れ替えることによって得られ、または、（ii）第３ビットｉ２の位置と第４ビットｑ２の位置に存在するビットをそれぞれ論理的に反転させることによって得られる、
ことを特徴とするデータ受信装置。
【請求項７】  コンスタレーションリアレンジメントを用いるデータ送信装置と、複数の１６ＱＡＭコンスタレーションパターンを用いるデータ受信装置とからなるデータ通信システムにおいて用いられるデータ受信装置であって、
前記データ送信装置は、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信部を具備し、
前記データ受信装置は、
１６ＱＡＭコンスタレーションパターンを用いてシンボルを復調する復調部を具備し、
前記第１の１６ＱＡＭコンスタレーションパターンおよび前記第２の１６ＱＡＭコンスタレーションパターンのうちの１つのコンスタレーションパターンは、１シンボルに割り当てられたビットシーケンス（ｉ１ｑ１ｉ２ｑ２）に対して、（i）第１ビットｉ１の位置と第３ビットｉ２の位置とを入れ替え、第２ビットｑ１の位置と第４ビットｑ２の位置とを入れ替えることによって得られ、または、（ii）第３ビットｉ２の位置と第４ビットｑ２の位置に存在するビットをそれぞれ論理的に反転させることによって得られる、
ことを特徴とするデータ受信装置。
【請求項８】  コンスタレーションリアレンジメントを用いるデータ送信装置と、複数の１６ＱＡＭコンスタレーションパターンを用いるデータ受信装置とからなるデータ通信システムにおいて用いられるデータ受信装置であって、
前記データ送信装置は、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信部を具備し、
前記データ受信装置は、
１６ＱＡＭコンスタレーションパターンを用いてシンボルを復調する復調部を具備し、
前記第２の１６ＱＡＭコンスタレーションパターンは、前記第１の１６ＱＡＭコンスタレーションパターンにおいて１シンボルに割り当てられたビットシーケンス（ｉ１ｑ１ｉ２ｑ２）に対して、（i）第１ビットｉ１の位置と第３ビットｉ２の位置とを入れ替え、第２ビットｑ１の位置と第４ビットｑ２の位置とを入れ替えることによって得られ、または、（ii）第３ビットｉ２の位置と第４ビットｑ２の位置に存在するビットをそれぞれ論理的に反転させることによって得られる、
ことを特徴とするデータ受信装置。
【請求項９】  前記復調部は、
初回送信時における前記第１の１６ＱＡＭコンスタレーションパターンに基づいて配列されたデータと、再送時における前記第２の１６ＱＡＭコンスタレーションパターンに基づいて配列されたデータとを合成する、
ことを特徴とする請求項５から請求項８のいずれかに記載のデータ受信装置。
【請求項１０】  前記第１の１６ＱＡＭコンスタレーションパターンに基づいて配列されたデータが誤りを含む場合、再送要求に従って、前記第２の１６ＱＡＭコンスタレーションパターンに基づいて配列されたデータを受信する、
ことを特徴とする請求項５から請求項９のいずれかに記載のデータ受信装置。
【請求項１１】  コンスタレーションリアレンジメントを用いるデータ送信装置と、複数の１６ＱＡＭコンスタレーションパターンを用いるデータ受信装置とからなるデータ通信システムであって、
前記データ送信装置は、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信部を具備し、
前記データ受信装置は、
１６ＱＡＭコンスタレーションパターンを用いてシンボルを復調する復調部を具備し、
前記第１の１６ＱＡＭコンスタレーションパターンおよび前記第２の１６ＱＡＭコンスタレーションパターンのうちの１つのコンスタレーションパターンは、１シンボルに割り当てられたビットシーケンス（ｉ１ｑ１ｉ２ｑ２）に対して、（i）第１ビットｉ１の位置と第３ビットｉ２の位置とを入れ替え、第２ビットｑ１の位置と第４ビットｑ２の位置とを入れ替えることによって得られ、または、（ii）第３ビットｉ２の位置と第４ビットｑ２の位置に存在するビットをそれぞれ論理的に反転させることによって得られる、
ことを特徴とするデータ通信システム。
【請求項１２】  コンスタレーションリアレンジメントを用いるデータ送信装置と、複数の１６ＱＡＭコンスタレーションパターンを用いるデータ受信装置とからなる通信システムであって、
前記データ送信装置は、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信部を具備し、
前記データ受信装置は、
１６ＱＡＭコンスタレーションパターンを用いてシンボルを復調する復調部を具備し、
前記第２の１６ＱＡＭコンスタレーションパターンは、前記第１の１６ＱＡＭコンスタレーションパターンにおいて１シンボルに割り当てられたビットシーケンス（ｉ１ｑ１ｉ２ｑ２）に対して、第１ビットｉ１の位置と第３ビットｉ２の位置とを入れ替え、第２ビットｑ１の位置と第４ビットｑ２の位置とを入れ替えることによって得られる、
ことを特徴とするデータ通信システム。
【請求項１３】  前記復調部は、
初回送信時における前記第１の１６ＱＡＭコンスタレーションパターンに基づいて配列されたデータと、再送時における前記第２の１６ＱＡＭコンスタレーションパターンに基づいて配列されたデータとを合成する、
ことを特徴とする請求項１１または請求項１２記載のデータ通信システム。
【請求項１４】  前記第１の１６ＱＡＭコンスタレーションパターンに基づいて配列されたデータが誤りを含む場合、再送要求に従って、前記第２の１６ＱＡＭコンスタレーションパターンに基づいて配列されたデータを受信する、
ことを特徴とする請求項１１から請求項１３のいずれかに記載のデータ通信システム。
【請求項１５】  コンスタレーションリアレンジメントを用いるデータ送信方法であって、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信ステップを具備し、
前記第１の１６ＱＡＭコンスタレーションパターンおよび前記第２の１６ＱＡＭコンスタレーションパターンのうちの１つのコンスタレーションパターンは、１シンボルに割り当てられたビットシーケンス（ｉ１ｑ１ｉ２ｑ２）に対して、第１ビットｉ１の位置と第３ビットｉ２の位置とを入れ替え、第２ビットｑ１の位置と第４ビットｑ２の位置とを入れ替えることによって得られる、
ことを特徴とするデータ送信方法。
【請求項１６】  コンスタレーションリアレンジメントを用いるデータ送信方法であって、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信ステップを具備し、
前記第１の１６ＱＡＭコンスタレーションパターンおよび前記第２の１６ＱＡＭコンスタレーションパターンのうちの１つのコンスタレーションパターンは、１シンボルに割り当てられたビットシーケンス（ｉ１ｑ１ｉ２ｑ２）に対して、第３ビットｉ２の位置と第４ビットｑ２の位置に存在するビットをそれぞれ論理的に反転させることによって得られる、
ことを特徴とするデータ送信方法。
【請求項１７】  コンスタレーションリアレンジメントを用いるデータ送信方法であって、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信方法を具備し、
前記第２の１６ＱＡＭコンスタレーションパターンは、前記第１の１６ＱＡＭコンスタレーションパターンにおいて１シンボルに割り当てられたビットシーケンス（ｉ１ｑ１ｉ２ｑ２）に対して、第１ビットｉ１の位置と第３ビットｉ２の位置とを入れ替え、第２ビットｑ１の位置と第４ビットｑ２の位置とを入れ替えることによって得られる、
ことを特徴とするデータ送信方法。
【請求項１８】  コンスタレーションリアレンジメントを用いるデータ送信方法であって、
初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信ステップを具備し、
前記第２の１６ＱＡＭコンスタレーションパターンは、前記第１の１６ＱＡＭコンスタレーションパターンにおいて１シンボルに割り当てられたビットシーケンス（ｉ１ｑ１ｉ２ｑ２）に対して、第３ビットｉ２の位置と第４ビットｑ２の位置に存在するビットをそれぞれ論理的に反転させることによって得られる、
ことを特徴とするデータ送信方法。
【請求項１９】  複数の１６ＱＡＭコンスタレーションパターンを用いるデータ受信方法であって、
１６ＱＡＭコンスタレーションパターンを用いてシンボルを復調する復調ステップを具備し、
第１の１６ＱＡＭコンスタレーションパターンおよび第２の１６ＱＡＭコンスタレーションパターンのうちの１つのコンスタレーションパターンは、１シンボルに割り当てられたビットシーケンス（ｉ１ｑ１ｉ２ｑ２）に対して、（i）第１ビットｉ１の位置と第３ビットｉ２の位置とを入れ替え、第２ビットｑ１の位置と第４ビットｑ２の位置とを入れ替えることによって得られ、または、（ii）第３ビットｉ２の位置と第４ビットｑ２の位置に存在するビットをそれぞれ論理的に反転させることによって得られる、
ことを特徴とするデータ受信方法。
【請求項２０】  複数の１６ＱＡＭコンスタレーションパターンを用いるデータ受信方法であって、
１６ＱＡＭコンスタレーションパターンを用いてシンボルを復調する復調ステップを具備し、
第２の１６ＱＡＭコンスタレーションパターンは、第１の１６ＱＡＭコンスタレーションパターンにおいて１シンボルに割り当てられたビットシーケンス（ｉ１ｑ１ｉ２ｑ２）に対して、（i）第１ビットｉ１の位置と第３ビットｉ２の位置とを入れ替え、第２ビットｑ１の位置と第４ビットｑ２の位置とを入れ替えることによって得られ、または、（ii）第３ビットｉ２の位置と第４ビットｑ２の位置に存在するビットをそれぞれ論理的に反転させることによって得られる、
ことを特徴とするデータ受信方法。
【請求項２１】  前記復調ステップは、
初回送信時における前記第１の１６ＱＡＭコンスタレーションパターンに基づいて配列されたデータと、再送時における前記第２の１６ＱＡＭコンスタレーションパターンに基づいて配列されたデータとを合成する、
ことを特徴とする請求項１９または請求項２０記載のデータ受信方法。
【請求項２２】  前記第１の１６ＱＡＭコンスタレーションパターンに基づいて配列されたデータが誤りを含む場合、再送要求に従って、前記第２の１６ＱＡＭコンスタレーションパターンに基づいて配列されたデータを受信する、
ことを特徴とする請求項１９から請求項２１のいずれかに記載のデータ受信方法。
【手続補正３】
【補正対象書類名】明細書
【補正対象項目名】０００１
【補正方法】変更
【補正の内容】
【０００１】
【発明の属する技術分野】
本発明は、データ送信装置に関する。
【手続補正４】
【補正対象書類名】明細書
【補正対象項目名】００１７
【補正方法】変更
【補正の内容】
【００１７】
本発明の目的は、より高い誤り訂正能力を有するデータ送信装置を提供することである。
【手続補正５】
【補正対象書類名】明細書
【補正対象項目名】００１８
【補正方法】変更
【補正の内容】
【００１８】
【課題を解決するための手段】
本発明のデータ送信装置は、コンスタレーションリアレンジメントを用いるデータ送信装置であって、初回送信時に、第１の１６ＱＡＭコンスタレーションパターンに基づいて配列されたデータを送信し、再送時に、第２の１６ＱＡＭコンスタレーションパターンに基づいて配列された前記データの全部または一部を送信する送信部を具備し、（１）前記第１の１６ＱＡＭコンスタレーションパターンおよび前記第２の１６ＱＡＭコンスタレーションパターンのうちの１つのコンスタレーションパターンは、１シンボルに割り当てられたビットシーケンス（ｉ１ｑ１ｉ２ｑ２）に対して、（i）第１ビットｉ１の位置と第３ビットｉ２の位置とを入れ替え、第２ビットｑ１の位置と第４ビットｑ２の位置とを入れ替えることによって得られ、または、（ii）第３ビットｉ２の位置と第４ビットｑ２の位置に存在するビットをそれぞれ論理的に反転させることによって得られる、あるいは、（２）前記第２の１６ＱＡＭコンスタレーションパターンは、前記第１の１６ＱＡＭコンスタレーションパターンにおいて１シンボルに割り当てられたビットシーケンス（ｉ１ｑ１ｉ２ｑ２）に対して、（i）第１ビットｉ１の位置と第３ビットｉ２の位置とを入れ替え、第２ビットｑ１の位置と第４ビットｑ２の位置とを入れ替えることによって得られ、または、（ii）第３ビットｉ２の位置と第４ビットｑ２の位置に存在するビットをそれぞれ論理的に反転させることによって得られる、構成を採る。